(57)【要約】  本発明は、円筒状ソケットスリーブ２を有する電気プラグコネクタソケット１に関する。ソケットスリーブ２には、平行に延びる複数のコンタクトラメラ31を有する円筒状ラメラケージ３が押し込まれる収容空間20が形成されている。ラメラケージ３は、第１および第２の端部側の周方向の環状ウェブ32a,32bを有し、コンタクトラメラ31は、両環状ウェブ32a,32b間に延びている。ラメラケージ３は、１つの（第１の）端部において、少なくとも軸方向に且つ好ましくは回転しないようにソケットスリーブ内でクランプおよび／または固定され、ソケットスリーブ２に対して軸方向のかつ回転可能なプレーン軸受が、ラメラケージ３の他の（第２の）端部に設けられていることを特徴とする。【選択図】図１
2019502242.tif 000002
【特許請求の範囲】
【請求項１】
円筒状ソケットスリーブ（２）を有する電気プラグコネクタソケット（１）であって、前記ソケットスリーブ（２）には、平行に延びる多数のコンタクトラメラ（３１）を有する円筒状ラメラケージ（３）が挿入される収容空間（２０）が形成され、前記ラメラケージ（３）が、第１および第２の端部側の周方向の環状ーウェブ（３２ａ，３２ｂ）を有し、前記コンタクトラメラ（３１）が、前記２つの環状ウェブ間に延びている電気プラグコネクタソケット（１）において、前記ラメラケージ（３）は、１つの（第１の）端部において、前記ソケットスリーブ（２）内で少なくとも軸方向に、かつ好ましくは回転しないようにクランプおよび／または固定され、前記ソケットスリーブ（２）に対して軸方向の、かつ回転可能な滑り軸受が、他の（第２の）端部に設けられていることを特徴とする、電気プラグコネクタソケット（１）。
【請求項２】
前記ラメラケージ（３）は、その環状ウェブの１つ（３２ａ）を介して、固定手段（２５）によって前記ソケットスリーブ（２）の内壁（２３）に固定されていることを特徴とする、請求項１に記載の電気プラグコネクタソケット（１）。
【請求項３】
前記ラメラケージ（３）は、その第２の環状ウェブ（３２ｂ）を介して、前記ソケットスリーブ（２）の前記内壁（２３）に、軸方向に移動および摺動するように取り付けられていることを特徴とする、請求項１または２に記載の電気プラグコネクタソケット（１）。
【請求項４】
軸方向（Ａ）に見てそれぞれ長さＬを有する２つ以上の窓状凹部または開口部（３５）が、前記第１の環状ウェブ（３２ａ）に形成され、それぞれ前記ソケットスリーブ（２）の前記内壁（２３）に設けられ、かつそれぞれ実質的に同一の長さＬ’を有する複数の凸部（２５）が前記凹部または開口部に係合しており、これにより前記カラーウェブ（３２ａ）の軸方向移動が阻止されていることを特徴とする、請求項１〜３のいずれか一項に記載の電気プラグコネクタソケット（１）。
【請求項５】
前記軸方向（Ａ）を横切る方向に見て幅Ｂを有する窓状凹部（３５）が、前記第１の環状ウェブ（３２ａ）に形成され、前記ソケットスリーブ（２）の前記内壁（２３）に設けられ、かつ同一のまたはより小さい幅Ｂ’を有する凸部（２５）が前記凹部に係合していることを特徴とする、請求項１〜４のいずれか一項に記載の電気プラグコネクタソケット（１）。
【請求項６】
前記固定手段（２５）は、前記ソケットスリーブ（２）のケーシング内の刻印部として前記ソケットスリーブ（２）に設けられ、窪み（２６）が、前記ソケットスリーブ（２）の外側アーモンド（２４）（外殻部）に形成され、突出する凸部（２５）が、前記ソケットスリーブ（２）の内側面（２３）に形成されていることを特徴とする、請求項２〜５のいずれか一項に記載の電気プラグコネクタソケット（１）。
【請求項７】
前記固定手段（２５）は、それぞれの場合に２つの対向する縦方向側縁部（２７）およびそれぞれの場合に２つの対向する横方向側縁部（２８）を有する実質的に立方体状の凸部の形態であることを特徴とする、請求項２または４〜６のいずれか一項に記載の電気プラグコネクタソケット（１）。
【請求項８】
前記ラメラケージ（３）は、軸方向（Ａ）に見て、中間の中央部において、前記２つの環状ウェブ（３２ａ、３２ｂ）よりも小さい直径を有することを特徴とする、請求項１〜７のいずれか一項に記載の電気プラグコネクタソケット（１）。
【発明の詳細な説明】
【技術分野】
【０００１】
本発明は、ラジアルコンタクトソケットとして構成され、かつ対応するプラグピンと接触する複数の長手方向接触要素を有し、さらに長手方向接触要素を囲むスリーブを有する電気プラグコネクタソケットに関する。
【０００２】
本発明は、さらに、対応するプラグに接触する複数の長手方向接触要素で形成され、かつ長手方向接触要素を囲むソケットスリーブを有する電気プラグコネクタソケットを製造する方法に関する。
【背景技術】
【０００３】
米国特許出願公開第２００２／０１８７６８６号明細書（特許文献１）は、Ｔ字形接触部を有するソケットと、ラメラケージ、および複雑な方法でかつ種々のツールを用いて「砂時計」の形状で回転させられる筒状のコンタクトホルダを備えたラメラコンタクトの製造について開示している。
【０００４】
同様に、米国特許第４，６５７，３３５号明細書（特許文献２）は、スリーブ内でラメラケージの両端部を相対的に回転運動させることによって形成されるソケットについて述べている。スリーブ内にラメラケージを固定するために、スリーブの両端部分のそれぞれにおいて、一方が他方に重なるようにして２つのリングが配置されている。
【０００５】
米国特許出願公開第２００３／００６８９３１号明細書（特許文献３）は、実質的に円筒状のソケットスリーブを含む電気プラグコネクタソケットを開示している。ソケットスリーブは、その端部側の端部に、双曲線状の回転させられたラメラケージをその連結舌部を用いて固定するための凹部を備えている。
【０００６】
独国特許発明第１０２０１１１０５８２１Ｂ４号明細書（特許文献４）は、さらに、円筒状ソケットスリーブを有する電気プラグコネクタソケットを開示している。このソケットスリーブには、双曲線形状の回転させられたラメラケージが装着された収容空間が形成されている。ソケットスリーブは、第１および第２の端面を有し、ラメラケージは、連結舌部により、ソケットスリーブに係合するように、前記ソケットスリーブの第１および第２端面で接続されている。ソケットスリーブと連結舌状部との間の移行領域に開口部が形成されており、ラメラケージの少なくとも１つの連結舌状部は、開口部の１つを通って突出している。
【０００７】
先行技術において既知である解決策には全て、製造が非常に複雑であるという欠点を有し、特にスリーブ、端部側スリーブ、およびラメラケージの幾何学的寸法を互いに整合させる必要がある。製造についての考慮事項は公差範囲に至るが、このことが、かなりの実際的な問題を生じさせている。一般に、高精度のパイプを用いなければならないが、その理由は、各場合において、ラメラケージのインナーパイプが、周囲スリーブの管形状にフィットしなければならないからであり、次いで、周囲スリーブはさらに、スリーブ収容部に挿入させられて、そこで固定されなければならないからである。
【０００８】
一般に、スリーブ内で捩れているラメラケージの問題もあるので、第１にケージを回転可能にスリーブに固定するために、第２に、ケージを中心軸の周りに捻ってコンタクトラメラが内部で収縮するように、ツールを用いてケージに係合させるために、保持装置をスリーブとラメラケージとの間に設ける必要がある。
【０００９】
円筒状の、特に円筒状に丸められたコンタクトグリッドが、コンタクトグリッドを取り囲むスリーブ内で２つの端部側の環状ウェブに締結されなければならず、したがって、両側で締結される種類のコンタクトシステムは、さらなる相当な問題を呈する。
【００１０】
したがって、通常、一般的なタイプのプラグコネクタソケットは、複雑な材料接合方法（例えば、溶接等）によってスリーブに接続された挿入型コンタクトグリッドを備えている。
【００１１】
両側に取り付けられる従来のコンタクトグリッドの場合、コンタクトシステムが機械的に過決定されるため、使用時において多数の問題が生じる。その結果、振動、作用力および熱機械的効果によって、プラグインプロセス中、およびその後の動作中に２つの締結点で負荷の増大が生じる。これは、コンタクトが、特に対応するピンの挿入後に、上述した力のいずれも避けることができないように締結されているからである。
【先行技術文献】
【特許文献】
【００１２】
【特許文献１】米国特許出願公開第２００２／０１８７６８６号明細書
【特許文献２】米国特許第４，６５７，３３５号明細書
【特許文献３】米国特許出願公開第２００３／０６８９３１号明細書
【特許文献４】独国特許発明第１０２０１１１０５８２１号明細書
【発明の概要】
【発明が解決しようとする課題】
【００１３】
したがって、本発明の目的は、上記欠点を解消し、実質的により単純に、かつより経済的な方法で、プラグコネクタソケットを製造することである。ここで同時に、部品数を減らすことが意図されており、しかも高い通電容量が、高温負荷時、特に１５０°Ｃ〜１７０°Ｃの温度、場合によっては、より高い温度でも、確実に確保されなければならない。
【課題を解決するための手段】
【００１４】
本発明は、請求項１の特徴を有するプラグコネクタソケットによって達成される。
【００１５】
本発明の基本概念は、先行技術にあるように円筒状ラメラケージを両端部においてクランプせず、むしろ、ラメラケージを、１つの（第１の）端部において、少なくとも軸方向に、かつ好ましくは回転しないようにクランプし、他の（第２の）端部において「浮動軸受」、または軸方向の、かつ回転可能な滑り軸受を設けることである。
【００１６】
本発明の好ましい構成では、ラメラケージは、ラメラケージを取り囲むスリーブにその第2の端部で固定され、小さい角度αだけ回転することができる。
【００１７】
その結果、本発明により、平行に延びる多数のコンタクトラメラを有する円筒状ラメラケージが挿入された収容空間が設けられている円筒状ソケットスリーブを備えた電気プラグコネクタソケットが提供される。ラメラケージは、第１および第２の端部の周方向の環状ウェブを有し、コンタクトラメラは、前記２つの環状ウェブ間に延びており、ラメラケージは、１つの（第１の）端部において、ソケットスリーブ内で少なくとも軸方向に、かつ好ましくは回転しないようにクランプおよび／または固定され、さらにソケットスリーブに対して少なくとも特定の回転角度で回転され得る軸方向の滑り軸受が、他の（第２の）端部に設けられていることを特徴としている。
【００１８】
好ましい実施形態では、ラメラケージは、その環状ウェブの１つを介して、スリーブ側の固定手段によってソケットスリーブの内壁に固定される。
【００１９】
さらに好ましい実施形態では、ラメラケージは、その第２の環状ウェブを介して、ソケットスリーブの内壁に、軸方向に移動しかつ摺動するように取り付けられる。
【００２０】
さらに有利であるのは、軸方向Ａに見てそれぞれ長さＬを有する２つ以上の窓状凹部または開口部が、第１の環状ウェブに形成されており、それぞれソケットスリーブの内壁に形成され、かつそれぞれ実質的に同一の長さＬ’を有する複数の凸部が前記凹部または開口部に係合しており、これによりこの環状ウェブの軸方向移動が防止されている場合である。
【００２１】
軸方向を横切る方向に見て幅Ｂを有する窓状凹部が、第１の環状ウェブに設けられ、ソケットスリーブの内壁に設けられ、かつ同一またはより小さい幅Ｂ’を有する凸部が、前記凹部に係合することにより、有利になる。その結果、取り付けは簡易化され、ソケットスリーブに対する環状ウェブの特定の回転取り付けが提供されることが保証され、回転範囲は、選択された幅Ｂと幅Ｂ’との幅差のサイズに依存する。好ましくは、２°〜４°の回転角度距離が選択され、それにより、第１に良好な保持が保証され、第２により簡易な取り付けが保証される。
【００２２】
本発明のさらなる有利な改善形態において、固定手段が、ソケットスリーブのケーシング内の刻印部としてソケットスリーブに設けられ得、窪みが、ソケットスリーブの外側アーモンド部（外殻部）（Aussenmandel、英語：outer almond）に形成され、突出する凸部が、ソケットスリーブの内側面に形成されている。凸部の位置は、窓状開口部の位置に対応するように合わせられる。
【００２３】
固定手段が、それぞれの場合に２つの対向する縦方向側縁部およびそれぞれの場合に２つの対向する横方向側縁部を有する実質的に立方体状の凸部の形態である場合にさらに好ましく、これにより、環状ウェブの１つを支持する停止部および境界縁部が規定され、それに対応する形状の窓状凹部が形成され得る。
【００２４】
ラメラケージの有利な改善形態において、ラメラケージは、軸方向に見て中間の中央部において、２つの環状ウェブの直径よりも小さい直径を有することができる。
【００２５】
本発明のさらなる態様は、上述した電気プラグコネクタソケットの製造方法に関し、この製造方法は、以下の方法ステップを含む：
ａ．２つの端部側環状ウェブと、前記２つの環状ウェブ間に延びる多数の平行なコンタクトラメラとを有するコンタクトラメラグリッドを作成するステップ；
ｂ．コンタクトラメラグリッドの環状ウェブの１つに（選択された位置において）２つ以上の窓状開口部を形成し、コンタクトラメラグリッドを円筒形状に変形させるステップ；
ｃ．円筒状コンタクトラメラグリッドを受ける収容空間を有する適切な形状のソケットスリーブを用意し、好ましくは刻印することによって、収容空間内に突出する嵌合凸部（ステップbにおける開口部の位置に対応する）をソケットスリーブの内側面に設けるステップ；
ｄ．凸部が窓状開口部に係合して１つの環状ウェブを固定するように、円筒状コンタクトラメラグリッドを収容空間に導入するステップ
。
【００２６】
この場合、１つの環状ウェブが軸方向に移動することができないように、各開口部の長さＬが各凸部の長さＬ’と合致していることが好ましい。
【００２７】
本発明のさらなる改善形態は、特許請求の範囲、図面、および図面に関連した説明から推量される。図面各図には、以下のものが示される。
【図面の簡単な説明】
【００２８】
【図１】図１は、例示的な実施形態を示す。
【図２】図２は、例示的な実施形態を示す。
【発明を実施するための形態】
【００２９】
本発明は、図１および図２に示される以下の例示的な実施形態を参照して、より詳細に以下に説明される。そうするにあたり、同一の参照符号は、同一の機能的特徴または構造的特徴を示す。
【００３０】
図は、円筒状ソケットスリーブ２を含む電気プラグコネクタソケット１の半分開いた側面図を示し、ソケットスリーブ２には収容空間２０が形成され、収容空間２０には、平行に延びる多数のコンタクトラメラ３１を有する円筒状ラメラケージ３が挿入されている。
【００３１】
円筒状かつ管状のソケットスリーブ２は、円周において閉じられ、２つの端部において開かれたケーシング７を有する。
【００３２】
ラメラケージ３は、第１および第２の端側の周方向の環状ウェブ３２ａ、３２ｂを有し、前記２つの環状ウェブ間に多数のコンタクトラメラ３１が延びている。コンタクトラメラ３１は、互いに略平行に延びて、２つの隣接するコンタクトラメラ３１間にそれぞれギャップが形成されている。
【００３３】
ラメラケージ３は、１つの（第１の）端部において、ソケットスリーブ２内で少なくとも軸方向に、かつ好ましくは回転しないようにクランプされて固定されており、ソケットスリーブ２に対して軸方向の、かつ回転可能な滑り軸受が、ラメラケージ３の他の（第２の）端部に設けられている。
【００３４】
図１および図２にさらに示されるように、ラメラケージ３は、環状ウェブ３２ａの１つを介して、固定手段25によってソケットスリーブ2の内壁23に固定されている。このために、３つの固定手段２５が円周方向に設けられている。
【００３５】
さらに、ラメラケージ３は、第２の環状ウェブ３２ｂを介して、ソケットスリーブ２の内壁２３に、軸方向に移動および摺動するように取り付けられ、したがって、意図されるように、クランプされていない。ラメラケージ3が、その中間の中央部に、くびれを有することにより小さい直径を有しているので、図示されていない挿入ピンを用いた挿入プロセスの間、コンタクトラメラ３１は半径方向に変形する。このために、コンタクトピンは、ラメラケージ３の中間の中央部よりも大きい直径を有する。環状ウェブ３２ｂの片側滑り軸受により、前記環状ウェブの軸方向の移動が許容される。たわみが可逆的であるため、コンタクトピンが再び抜かれると、ラメラケージ３はすぐに元の形状に戻る。振動の場合や、熱機械的加熱時等に、同様の相対移動が可能になり、これにより、コンタクトシステムの塑性変形および弱化が回避される。
【００３６】
３つの窓状凹部または開口部３５が第１の環状ウェブ３２ａに設けられており、１つの前記窓状凹部または開口部が図１および図２に図示されている。開口部は、それぞれ軸方向Ａに見て長さＬとなるように形成され、それぞれソケットスリーブ２の内壁２３に設けられ、かつ実質的に同一の長さＬ’を有する複数の凸部２５が前記開口部に係合しており、これによりこの環状ウェブ３２ａの軸方向移動が、回避されている。
【００３７】
第１の環状ウェブ３２ａ上の窓状凹部３５は、さらに軸方向Ａを横切る方向に見て幅Ｂとなるように形成され、より小さい幅Ｂ’の凸部２５が前記凹部に係合している。
【００３８】
さらに、くぼみ２６がソケットスリーブ２の外側アーモンド部（外殻部）２４に形成されており、突出する凸部２５は前記くぼみの反対側に、ケーシング７の内側に形成されている。
【００３９】
本発明の実施は、上述した好ましい例示的な実施形態に限定されない。むしろ、いくつかの変形例が実現可能であり、本質的に異なる性質の実施形態においてさえ、例示された解決策を利用することができる。
【図１】
2019502242.tif 000003
【図２】
2019502242.tif 000004
【国際調査報告】
2019502242.tif 000005
2019502242.tif 000006
2019502242.tif 000007
2019502242.tif 000008
2019502242.tif 000009
2019502242.tif 000010